(57)【要約】【課題】各種の治具を用いることによって躯体に外壁を構成する際の一連の作業を合理的に行う。【解決手段】施工方法は、予め基礎に埋設された複数のアンカーボルト６に第１治具Ａを挿通して基礎上面に外壁パネル１０を載置する基礎受け金物７の位置決めを行う基準線４を罫書く、出隅部の柱２に第２治具Ｂを利用してコーナーパネル１１を取り付け、梁２３に外壁パネル１０の上部の背面１０ａと当接する定規金物２４を仮固定し、定規金物に第３治具Ｃを吸着させ、柱１２に取り付けたコーナーパネル１１の表面１１ａを基準として水糸２０を張り渡し、第３治具Ｃの基準溝２２ａを合わせるようにして定規金物２４を梁に固定し、基礎受け金物７に外壁パネル１０を載置すると共に上部の背面１０ａを定規金物２４に当接させて取り付ける。【選択図】             図７
2006307525.tif 000002
【特許請求の範囲】
【請求項１】
基礎の上部に設置された躯体に壁パネルを施工する際の施工方法であって、予め基礎に埋設された複数のアンカーボルトに該複数のアンカーボルトを挿通する挿通孔と罫書溝が形成された第１治具を挿通して基礎上面に外壁パネルを載置する基礎受け金物の位置決めを行う基準線を罫書いておき、躯体を組み立てると共に前記基準線を基準として基礎上面に外壁パネルを載置する基礎受け金物を取り付けた後、出隅部の柱に断面がＬ字型のコーナー壁パネルを取り付けるに際しコーナー壁パネルが正規の位置に取り付けられたとき該コーナー壁パネルの表面と端面及び柱の二面に同時に当接する当接面が形成された第２治具を利用してコーナー壁パネルを柱に取り付け、更に、躯体を構成する梁に外壁パネルの上部の背面と当接して位置決めする断面Ｌ字型の定規金物を仮固定し、前記定規金物に磁石と磁石に取り付けた軸部材からなり該軸部材に於ける磁石の底面から所定寸法離隔した位置に基準溝を形成した第３治具を吸着させ、且つ前記柱に取り付けたコーナー壁パネルの表面を基準として水糸を張り渡し、該水糸に前記第３治具の基準溝を合わせるようにして定規金物の位置を決めて梁に固定し、前記基礎受け金物に外壁パネルを載置すると共に上部の背面を定規金物に当接させて取り付けることを特徴とする壁パネルの施工方法。
【請求項２】
梁に上階の外壁パネルを載置する梁受け金物を仮固定し、下階に外壁パネルを取り付けた後、前記梁受け金物が正規の位置に配置されたとき該梁受け金物と下階の外壁パネルの表面に同時に当接する当接面を形成した第４治具を利用して梁受け金物の位置を決めて梁に固定することを特徴とする請求項１に記載した壁パネルの施工方法。
【請求項３】
基礎から突出した複数のアンカーボルトを挿通するための複数の挿通孔と、基礎の上面に取り付けられて外壁パネルを載置する基礎受け金物を位置決めする際の基準となる基準線を罫書くための罫書溝と、を有することを特徴とする治具。
【請求項４】
柱の隣接した二つの面と当接する二つの柱当接面と、断面Ｌ字型のコーナー壁パネルの表面と該表面と隣接した端面に当接する二つのパネル当接面と、を有し、躯体を構成する出隅部の柱にコーナー壁パネルが正規の位置に取り付けられたとき、該コーナー壁パネル及び柱に前記二つの壁パネル当接面及び二つの柱当接面が同時に当接するように各当接面が連続した階段状に形成されていることを特徴とする治具。
【請求項５】
外壁パネルの表面と当接する外壁パネル当接面と、梁受け金物と当接する梁受け金物当接面と、を有し、梁受け金物が梁に対し正規の位置に取り付けられたとき、外壁パネル当接面が下階の外壁パネルの表面に当接すると同時に梁受け金物当接面が梁受け金物に当接するように構成されていることを特徴とする治具。
【請求項６】
柱を構成する二つの面と当接する二つの柱当接面と、断面Ｌ字型のコーナー壁パネルの表面と端面に当接する二つのパネル当接面と、外壁パネルの表面と当接する外壁パネル当接面と、梁受け金物と当接する梁受け金物当接面と、を有し、躯体を構成する出隅部の柱にコーナー壁パネルが正規の位置に取り付けられたとき、該コーナー壁パネル及び柱に前記二つの壁パネル当接面及び二つの柱当接面が同時に当接するように構成されると共に梁受け金物が梁に対し正規の位置に取り付けられたとき、外壁パネル当接面が下階の外壁パネルの表面に当接すると同時に梁受け金物当接面が梁受け金物に当接するように構成されていることを特徴とする治具。
【請求項７】
磁石と、磁石の一方側に取り付けられ且つ磁石の底面から所定寸法離隔した位置に外壁パネルの表面の基準となる基準溝が形成された軸部材と、を有し、躯体を構成する梁に外壁パネルの上部の背面と当接して位置決めする定規金物が正規の位置に取り付けられたとき、該定規金物に磁石を吸着させることによってコーナー壁パネルの表面を基準として張り渡された水糸と基準溝が一致するように構成されていることを特徴とする治具。
【発明の詳細な説明】
【技術分野】
【０００１】
本発明は、建物の出隅部に配置される断面Ｌ字型のコーナー壁パネルと板状の外壁パネルを含む壁パネルを精度良く施工する方法と、この施工方法を実施する際に用いて有利な治具に関するものである。
【背景技術】
【０００２】
鉄骨造の躯体を有する住宅では、板状に成形されたＡＬＣ（軽量気泡コンクリート）パネルやＰＣ（プレキャストコンクリート）パネル等の外壁パネルを利用して外壁を構成するのが一般的である。前記外壁パネルは比較的厚い厚さを有しており、出隅部で外壁パネルが交叉すると、一方の外壁パネルの厚さ面が露出してしまうため、この出隅部には断面がＬ字型のコーナー壁パネルが配置される。
【０００３】
壁パネルを躯体に取り付ける場合、外壁パネルは下端部が基礎梁の上面に取り付けた受け金物、或いは下梁に取り付けた受け金物に載置されて支持されると共に、上端側の背面が上部の梁に取り付けた定規金物に当接して支持される。またコーナー壁パネルは、上下両端側の背面が出隅部の柱に取り付けた取付金物に取り付けられる。このように、外壁パネルとコーナー壁パネルは梁，柱と異なる部材に取り付けられるものの、同一方向の外壁面は同一面内に配置される。
【０００４】
鉄骨造の躯体を有する住宅に於ける壁パネルの施工手順について簡単に説明する。予め基礎梁に柱，梁からなる躯体が構築されている。基礎梁の上面に所定の間隔を持って露出したアンカーボルトを利用して１階に配置される外壁パネルの下端部を支持する受け金物が取り付けられ、梁の所定位置には下階の外壁パネルの背面に当接して位置決めする定規金物及び上階の外壁パネルの下端部を載置する受け金物が取り付けられている。前記基礎梁の上面に配置される受け金物は、アンカーボルトを基準として位置決めされて該アンカーボルトに固定される。また梁に取り付けられる定規金物や受け金物は、梁を基準として位置決めされて該梁に固定される。
【０００５】
出隅部の柱に取り付けた取付金物に対し、スケールを利用して該柱からの寸法を確認すると共に下げ振りを利用して垂直度を確認しつつ、コーナー壁パネルの背面を取り付ける。外壁パネルの下端部を受け金物に載置すると共に上端側の背面を定規金物に当接させて支持する。１階層分のコーナー壁パネル及び外壁パネルが取り付けられた後、各壁パネルの垂直度や隣接する壁パネルの出入り、段差の有無等の精度を測定し、許容範囲を逸脱しているような場合、梁に固定されている定規金物を緩めて微調整を行い、前記各精度が許容範囲を満足したとき、定規金物を再固定することで、外面が同一面内に存在する外壁を構成している。
【０００６】
外壁パネルを躯体に取り付けるに際し、基礎梁或いは梁には受け金物や定規金物が取り付けられ、これらの金物の位置精度が、構成された外壁の精度に寄与することとなる。このため、受け金物や定規金物を如何にして精度良く且つ簡単に取り付けることを実現するかが課題となっている。
【０００７】
上記課題を解決するために治具を利用することが提案されている。例えば特許文献１に記載された技術は、ビス打ち用隅出し治具に関するものであり、線引き孔を有する定規を利用することによって、天井用ボード或いは壁用ボードに野縁や柱にビス打ちする際の目安の線を形成し得るようにしたものである。この技術では、天井用ボードや壁用ボードをビス止めする際の作業を容易に行うことが可能となり有利である。
【０００８】
また特許文献２に記載された技術は、定規アングル位置決め用治具に関するものであり、外壁パネルを取り付けるための定規アングルを梁の柱芯から所定の位置に固着する際に、底面に定規アングルに磁着させる磁極を形成し、この底面に対して直角方向に定規部材を配置し、定規部材に水糸からの所望位置をマークした治具を利用するものである。この技術では、磁極を定規アングルに磁着させ、定規部材のマークを水糸に合わせるように定規アングルの位置を調整することで、該水糸を基準として定規アングルの位置を決めることができる。
【０００９】
また特許文献３に記載された技術は、定規アングル取付治具に関するものであり、下がり壁を構成する外壁パネルを支持するために梁の下方に配置される定規アングルを載置して高さ方向の位置決めを可能としたものである。この技術では、梁の下方に配置される定規アングルの梁からの高さ方向の位置決めを容易に且つ確実に行うことができる。
【００１０】
【特許文献１】実用新案登録第２５７３３８３号公報
【特許文献２】実開平６−５８０５４公報
【特許文献３】特開平１１−６３０３公報
【発明の開示】
【発明が解決しようとする課題】
【００１１】
上記した従来の外壁の施工方法では、１階層分のコーナー壁パネル及び外壁パネルが取り付けられた後、各壁パネルの垂直度や隣接する壁パネルの出入り、段差の有無等を測定し、必要に応じて微調整を行う。この作業は、梁に一度固定した定規金物を緩めて外壁パネルの垂直度や出入り或いは段差を調整した後、再固定するという一連のものであり、作業手間が掛かり、且つ作業が煩雑であるという問題がある。
【００１２】
また特許文献１の技術は、治具の対象が天井用ボードであり、外壁パネルやコーナー壁パネルを躯体に取り付ける際の治具としては利用し得ないという問題がある。また特許文献２の技術は、梁に定規アングルを取り付ける際に有利であるが、水糸と定規部材のマークとの位置関係では視差の影響が大きくなるという問題がある。更に、特許文献３の技術では、定規アングルの梁からの高さ方向の位置決めをすることが可能であるものの、水平方向の位置決めができないという問題がある。
【００１３】
本発明の目的は、各種の治具を用いることによって躯体に外壁を構成する際の一連の作業を合理的に行うことを実現した外壁の施工方法と、この施工方法を実施する際に用いて有利な治具を提供することにある。
【課題を解決するための手段】
【００１４】
上記課題を解決するために本発明に係る壁パネルの施工方法は、基礎の上部に設置された躯体に壁パネルを施工する際の施工方法であって、予め基礎に埋設された複数のアンカーボルトに該複数のアンカーボルトを挿通する挿通孔と罫書溝が形成された第１治具を挿通して基礎上面に外壁パネルを載置する基礎受け金物の位置決めを行う基準線を罫書いておき、躯体を組み立てると共に前記基準線を基準として基礎上面に外壁パネルを載置する基礎受け金物を取り付けた後、出隅部の柱に断面がＬ字型のコーナー壁パネルを取り付けるに際しコーナー壁パネルが正規の位置に取り付けられたとき該コーナー壁パネルの表面と端面及び柱の二面に同時に当接する当接面が形成された第２治具を利用してコーナー壁パネルを柱に取り付け、更に、躯体を構成する梁に外壁パネルの上部の背面と当接して位置決めする断面Ｌ字型の定規金物を仮固定し、前記定規金物に磁石と磁石に取り付けた軸部材からなり該軸部材に於ける磁石の底面から所定寸法離隔した位置に基準溝を形成した第３治具を吸着させ、且つ前記柱に取り付けたコーナー壁パネルの表面を基準として水糸を張り渡し、該水糸に前記第３治具の基準溝を合わせるようにして定規金物の位置を決めて梁に固定し、前記基礎受け金物に外壁パネルを載置すると共に上部の背面を定規金物に当接させて取り付けることを特徴とするものである。
【００１５】
上記壁パネルの施工方法に於いて、梁に上階の外壁パネルを載置する梁受け金物を仮固定し、下階に外壁パネルを取り付けた後、前記梁受け金物が正規の位置に配置されたとき該梁受け金物と下階の外壁パネルの表面に同時に当接する当接面を形成した第４治具を利用して梁受け金物の位置を決めて梁に固定することが好ましい。
【００１６】
また本発明に係る第１治具は、基礎から突出した複数のアンカーボルトを挿通するための複数の挿通孔と、基礎の上面に取り付けられて外壁パネルを載置する基礎受け金物を位置決めする際の基準となる基準線を罫書くための罫書溝とを有するものである。
【００１７】
また本発明に係る第２治具は、柱の隣接した二つの面と当接する二つの柱当接面と、断面Ｌ字型のコーナー壁パネルの表面と該表面と隣接した端面に当接する二つのパネル当接面と、を有し、躯体を構成する出隅部の柱にコーナー壁パネルが正規の位置に取り付けられたとき、該コーナー壁パネル及び柱に前記二つの壁パネル当接面及び二つの柱当接面が同時に当接するように各当接面が連続した階段状に形成されているものである。
【００１８】
また本発明に係る第３治具は、磁石と、磁石の一方側に取り付けられ且つ磁石の底面から所定寸法離隔した位置に外壁パネルの表面の基準となる基準溝が形成された軸部材と、を有し、躯体を構成する梁に外壁パネルの上部の背面と当接して位置決めする定規金物が正規の位置に取り付けられたとき、該定規金物に磁石を吸着させることによってコーナー壁パネルの表面を基準として張り渡された水糸と基準溝が一致するように構成されているものである。
【００１９】
また本発明に係る第４治具は、外壁パネルの表面と当接する外壁パネル当接面と、梁受け金物と当接する梁受け金物当接面と、を有し、梁受け金物が梁に対し正規の位置に取り付けられたとき、外壁パネル当接面が下階の外壁パネルの表面に当接すると同時に梁受け金物当接面が梁受け金物に当接するように構成されているものである。
【００２０】
また本発明に係る第５治具は、柱を構成する二つの面と当接する二つの柱当接面と、断面Ｌ字型のコーナー壁パネルの表面と端面に当接する二つのパネル当接面と、外壁パネルの表面と当接する外壁パネル当接面と、梁受け金物と当接する梁受け金物当接面と、を有し、躯体を構成する出隅部の柱にコーナー壁パネルが正規の位置に取り付けられたとき、該コーナー壁パネル及び柱に前記二つの壁パネル当接面及び二つの柱当接面が同時に当接するように構成されると共に梁受け金物が梁に対し正規の位置に取り付けられたとき、外壁パネル当接面が下階の外壁パネルの表面に当接すると同時に梁受け金物当接面が梁受け金物に当接するように構成されているものである。
【発明の効果】
【００２１】
上記本発明に係る外壁の施工方法では、第１治具を利用して基礎に埋設されたアンカーボルトを基準として基礎上面（基礎梁の上面）に基礎受け金物の位置決め用の基準線を容易に形成することができる。また躯体が構築された後、出隅部の柱にコーナー壁パネル（以下「コーナーパネル」という）を取り付ける際には第２治具を利用して該柱を基準としてコーナーパネルを取り付けることができる。更に、第３治具を利用してコーナーパネルの表面を基準として張り渡された水糸を基準として梁に取り付けられて外壁パネルの背面と当接する定規金物の位置決めを行うことができる。
【００２２】
即ち、外壁を施工する際に、基礎のアンカーボルトを基準として外壁パネルの下端部の位置を設定し、且つ該アンカーボルトを基準として建て込まれた躯体の出隅部の柱を基準としてコーナーパネルを取り付け、更に、取り付けられたコーナーパネルを基準として定規金物の位置を設定することができるため、基礎梁に取り付けた基礎受け金物と定規金物に対して外壁パネルを取り付けたとき、該外壁パネルの垂直度や隣接する外壁パネルとの間の段差或いは凹凸が生じることがない。従って、外壁パネルの躯体に対する取付作業に起因する手直しが発生することがなく、作業を円滑に進めることができる。
【００２３】
また下階の外壁を構成した後、第４治具を利用して躯体に取り付けた外壁パネルの表面を基準として梁に取り付ける梁受け金物の位置決めを行うことができる。この場合、躯体に対する取付精度が確保された外壁パネルを基準として梁受け金物の位置を設定するため、上階の外壁パネルと下階の外壁パネルとの間に段差や凹凸が生じる虞がない。
【００２４】
本発明に係る第１治具では、複数の挿通孔に複数のアンカーボルト、特に柱脚部のアンカーボルトを挿通して取り付けることで、柱芯の芯出しをすることができ、罫書溝を利用して基礎梁の上面に罫書線を形成することができる。
【００２５】
従って、この罫書線の位置が基礎梁の上面に配置する基礎受け金物の基準線とし、出隅部のアンカーボルト、或いは所定の間隔で配置されているアンカーボルト毎に形成した罫書線を基準として墨出しすることで、基礎梁の上面に容易に基礎受け金物を取り付けるための基準線を形成することができる。
【００２６】
また本発明に係る第２治具では、コーナーパネルが出隅部の柱に対し正規の位置に取り付けられたときに、該コーナーパネルの表面及び隣接する端面と、柱のコーナーパネルの端面が配置された側の表面及び該表面に隣接する表面に同時に当接し得る四つの当接面を階段状に形成されるため、柱にコーナーパネルを仮固定した後、この第２治具を柱の隣接する二つの面、或いはコーナーパネルの表面と端面に当接させながら、コーナーパネルの出入りを調整することで正規な位置に取り付けることができる。
【００２７】
従って、コーナーパネルの上下両端側の位置を第２治具を利用して柱に対し正規の位置に取り付ける際の作業を容易に且つ円滑に行うことができる。このようにして取り付けられたコーナーパネルは、柱が高い位置精度を確保しているため、外壁に於ける外壁パネルの取付基準となり得る。
【００２８】
本発明に係る第３治具では、磁石と、磁石の底面からの寸法が外壁パネルの表面から定規金物の基準面までの距離に対応する位置に基準溝を形成した軸部材とによって構成されるため、磁石を定規金物に吸着させてコーナーパネルの表面を基準として張り渡された水糸に基準溝を対向させることで、外壁パネルの表面を基準として定規金物の位置を設定することができる。特に、軸部材に基準溝を形成することによって、該基準溝に水糸を対向させたとき視差の影響を排除することができる。このため、磁石を吸着させた定規金物の位置を正確に設定することができる。
【００２９】
本発明に係る第４治具では、下階の外壁を構成する外壁パネルの表面に外壁パネル当接面を当接させると共に梁受け金物当接面に梁受け金物を当接させて固定することで、下階の外壁パネルを基準として上階の外壁パネルを支持する梁受け金物の位置を設定することができる。
【００３０】
本発明の第５治具では、前述の第２治具と第４治具とを一つの治具として構成することができ、持ち運びの容易な、使い勝手の良い治具を構成することができる。
【発明を実施するための最良の形態】
【００３１】
以下、上記外壁の施工方法と、治具の最も好ましい形態について説明する。本発明の施工方法は、外壁を構成するに際し、基礎に埋設したアンカーボルトの位置を基準とし、複数種の治具を用いることによって順次基準を移しながら、基礎受け金物、定規金物、梁受け金物の位置を設定してゆき、これらの金物に外壁パネルを取り付けることで、取付精度が高く且つ作業を容易に進めるようにしたものである。
【００３２】
本発明の施工方法では、基礎に躯体を構成する柱を取り付けるのに先立って、第１治具を利用してアンカーボルトを基準とした１階の外壁パネルを載置する基礎受け金物の位置を設定する。鉄骨造の躯体を組み立てる基礎では、柱の柱脚部を固定するためのアンカーボルトや、基礎の上面に取り付けられて外壁パネルを載置する基礎受け金物を固定するためのアンカーボルトが埋設されている。これらのアンカーボルトは、配置位置や配置間隔等の精度が保証されている。
【００３３】
従って、第１治具を取り付けるためのアンカーボルトとしては、柱脚部のアンカーボルト、基礎受け金物のアンカーボルトの何れであっても良い。しかし、柱脚部のアンカーボルトの場合、比較的狭い面積に複数本纏まって配置されること、及び躯体の基準でもあること、から、柱脚部のアンカーボルトを基準とすることが好ましい。
【００３４】
また柱脚部の基礎は、通常１組が４本のアンカーボルトが四隅に配置された四角形状に形成される。このため、少なくとも隣接する２本のアンカーボルトを基準とすることによって、この２本のアンカーボルトの中心が一方方向の柱芯と一致するため、この柱芯を基準として基礎受け金物の取付位置を設定することが可能となり、この位置に罫書溝を形成しておくことで、一方向（隣接する２本のアンカーボルトを結ぶ方向に対して直交する方向）に配置すべき基礎受け金物の位置を罫書くことが可能となる。
【００３５】
このため、第１治具を３本又は４本のアンカーボルトを挿通し得るように構成すると共に夫々の方向への罫書溝を形成しておくことが好ましい。このように構成した第１治具では、一度に直交する二方向に柱芯を基準とする基礎受け金物の配置位置を罫書くことが可能となる。
【００３６】
従って、建物の形状に応じて、各隅部に配置されたアンカーボルト毎に第１治具を挿通して基準線を罫書き、この基準線を結んで隅出しすることで、アンカーボルトの位置を基準として基礎受け金物の位置を設定することが可能となる。
【００３７】
第１治具に形成された罫書溝を利用して基礎梁の上面に罫書く場合、筆記具は特に限定するものではなく、基礎梁の上面に罫書くことが可能なものであれば良い。このような筆記具としては、例えばシャープペンやボールペン、或いはフェルトペン等がある。このため、罫書溝の幅寸法は、筆記具の太さに対応して設定することが好ましい。特に、このような筆記具を用いることから、第１治具の厚さがあまりに厚いものは好ましくなく、適度な剛性を有する板状に形成されたものであることが好ましい。
【００３８】
第１治具に形成された挿通孔は、アンカーボルトの直径に比較してあまりに大きい径であることは好ましくはなく、アンカーボルトの芯間距離に設定された交差を考慮して設定することが好ましい。また罫書溝の形状も特に限定するものではなく、各方向への直線状の溝、或いはＬ字型に直交する溝であることが好ましい。
【００３９】
基礎受け金物の形状や構造は特に限定するものではなく、基礎の上面に固定されたとき、外壁パネルを載置し得る形状であれば良い。基礎受け金物としては、水平方向に外壁パネルを載置する載置片と、載置片に載置した外壁パネルの背面と当接して位置決めする機能を持った当接片と、を有する断面がＬ字型の材であることが好ましい。この基礎受け金物は基礎梁に埋設したアンカーボルト（柱脚部以外のアンカーボルト）を利用して取り付けられるため、該アンカーボルトに直接又は固定金物を利用して間接的に取り付けるようにしても良い。
【００４０】
基礎受け金物をアンカーボルトに直接取り付けるように構成する場合には、載置片、当接片に加えて、水平方向に配置された取付片を設けることが必要であり、この場合、基礎受け金物の断面は略Ｔ字型になる。また固定金物を利用する場合には、アンカーボルトに取り付けた固定金物に基礎受け金物を固定する固定片が必要となる。
【００４１】
基礎受け金物を基礎梁の上面に形成された基準線に合わせる場合、何れの部位を合わせるか、は限定するものではなく、実質的に基礎受け金物の当接片の位置が基準線に対応して位置決めされれば良い。従って、基礎受け金物の載置片の先端に対応する位置に基準線を形成しても良く、当接片の後端に対応する位置に形成しても良い。更に、固定金物を利用する場合には、固定金物の所定位置、例えば固定金物に形成された基礎受け金物を取り付ける取付片の端部に対応する位置に基準線を形成し、この基準線に合わせて固定金物を配置して基礎梁に固定しても良い。
【００４２】
建物の全周に対する基礎受け金物の位置決めが終了した後、柱脚部のアンカーボルトに柱を取り付け、更に、梁，上階の柱，梁を順次取り付けて躯体を構成する。このようにして構成された躯体は、柱の垂直度を含む構造上の精度が予め設定された許容範囲内にあることが保証されている。従って、基礎受け金物の位置、及び躯体は互いにアンカーボルトの位置を基準として構成されている。
【００４３】
躯体の構成と同時に或いは前後して基礎梁に形成された基準線を基準として、該基礎梁に断面がＬ字状に形成された基礎受け金物が取り付けられる。また出隅部の柱には、コーナーパネルを取り付けるための取付金具が取り付けられる。
【００４４】
コーナーパネルを柱に取り付けるための取付金具の構成は特に限定するものではなく、現在一般的に利用されているものを用いることが可能である。このような取付金具としては、コーナーパネルの背面に当接し、且つ固定ボルトを利用して固定すると共に調整ボルトを利用してコーナーパネルの柱に対する傾きや出入りを調整し得るように構成されたものがある。
【００４５】
コーナーパネルは柱に対し上下両端側の２個所で取り付けられる。特に、柱，コーナーパネル，取付金具共に工場生産されるため、夫々が高い寸法精度を有しており、柱を基準としたコーナーパネルの位置が設定されたとき、柱の屋内側の面とコーナーパネルの端面との距離、柱の屋外側の面とコーナーパネルの表面（屋外側の表面）との距離は一義的に設定される。
【００４６】
従って、予め設定されている柱を基準としたコーナーパネルの取付状態の平面図から、コーナーパネルの表面、該表面に隣接する端面、コーナーパネルの端面が対向する柱の表面、該表面に隣接する表面、の位置関係は一義的に設定されることとなり、この位置関係が実現されない限り、コーナーパネルは柱に対して予め設定された姿勢で取り付けられていないことになる。このため、前記四つの面に同時に当接し得るように階段状の当接面を形成することによって、コーナーパネルが柱に対して正規の状態で取り付けられているか否かを確認することが可能となる。
【００４７】
即ち、コーナーパネルが柱に対し正規の位置に取り付けられているとき、コーナーパネルの表面、該表面と隣接する端面、柱の二つの面に同時に当接する四つの当接面を形成した第２治具を利用することで、コーナーパネルの柱に対する取付位置の正否を容易に判定することが可能となり、この判定に基づいて、コーナーパネルの柱に対する出入りの調節を行うことが可能となる。
【００４８】
第２治具は、コーナーパネルと柱とに当接することが必須となるため、高い剛性を持っで形成されることが好ましい。即ち、第２治具は適度な厚さを持った板状の部材として形成され、簡単に曲がりが生じることのないように構成されることが好ましい。
【００４９】
上記の如く構成された第２治具を利用し、コーナーパネルの表面と端面、柱の二つの面が同時に第２治具の当接面に当接し得るように、コーナーパネルの柱に対する出入りを調整して取り付けることで、該コーナーパネルの柱に対する取付精度を保証することが可能となる。
【００５０】
このようにして柱に取り付けられたコーナーパネルの表面は、柱を基準として予め設定された外壁の表面と同一平面内に存在する。従って、同一方向の外壁面内で隣接するコーナーパネルの間に該コーナーパネルの表面に沿って水糸を張り渡したとき、この水糸は目的の建物の外壁の表面、即ち、外壁パネルの表面を規定することとなる。コーナーパネルの表面に沿って張り渡される水糸は、梁に取り付けられる定規金物の位置に対応した位置を有しており、適度な張力が付与された状態を保持している。
【００５１】
外壁を構成する外壁パネルは、下端部の位置が基礎梁の上面に取り付けられた基礎受け金物に載置されて支持されることによって位置が設定される。また上端側は、背面が梁に取り付けた定規金物に当接して支持されることで位置が設定される。従って、外壁パネルの上端部の取付精度は、定規金物の位置精度（梁の位置精度及び定規金物の梁に対する取付精度）に依存することになる。
【００５２】
従って、出隅部の柱に取り付けられたコーナーパネルの表面を基準として定規金物の位置を設定することによって、梁の位置精度（柱に対する梁の取付精度）や、梁に対する定規金物の取付精度に依存することなく、外壁パネルの取付精度を向上させることが可能であり、一つの外壁面を構成する際に必要な定規金物が複数存在しても、これら複数の定規金物を同一面内に配置して夫々梁に固定することが可能となる。
【００５３】
第３治具は、コーナーパネルの表面に沿って張り渡された水糸を基準として定規金物の梁に対する取付位置を設定するものであり、定規金物に吸着する磁石と、磁石の一方側の面に取り付けられ磁石の底面から外壁パネルの表面までの距離に一致した位置に基準溝を形成した軸部材と、を有して構成されている。前記基準溝は、張り渡された水糸に一致させたとき、視差の影響を最小限に抑制し得るように形成されたものであり、軸部材の外周に形成した溝として構成されている。このような溝を形成した場合、表面に着色等によるマークを形成した場合と比較して視差の影響を抑えることが可能である。
【００５４】
従って、梁に対し定規金物を仮固定しておき、該定規金物の両端部に夫々第３治具を吸着させ、第３治具の軸部材に形成した基準溝が水糸に一致するように定規金物の出入りを調整して基準溝が水糸に一致したとき、定規金物を梁に固定することで、該定規金物の位置を水糸を基準として、即ち、外壁パネルの表面を含む平面を基準として設定することが可能となる。
【００５５】
上記の如くして位置が設定されて梁に固定された定規金物は、梁の柱に対する取付位置が許容範囲内のバラツキを生じていても、このバラツキを吸収して外壁の精度を確保することが可能である。
【００５６】
定規金物の形状や寸法は特に限定するものではないが、梁に対する固定片と、外壁パネルの背面に当接して位置決めする当接片と、からなる断面がＬ字型の鋼材であることが好ましい。また長さも特に限定するものではなく、建物のモジュール寸法に対応させて適宜設定されることが好ましい。特に、定規金物を建築現場で梁に取り付けるような場合、作業性をも考慮した長さを有することが好ましい。
【００５７】
基礎梁の上面に取り付けた基礎受け金物に外壁パネルの下端部の端面を載置して所定の金具を利用して支持し、上端側の背面を定規金物に当接させて支持することで、１階の外壁を構成することが可能となる。そして構成された外壁は、下端部がアンカーボルトを基準に位置決めされており、上端側はアンカーボルトに固定された柱を基準として位置決めされている。このため、外壁を構成する複数の外壁パネルの間に段差や凹凸が生じる虞がない。
【００５８】
目的の住宅が複数階建てである場合、１階の外壁が構成された後、２階の外壁が構成され、以下順次下階の外壁が構成された後、上階の外壁が構成される。上階の外壁を構成する外壁パネルは、下端が下梁に取り付けた梁受け金物に載置されて支持され、上端側は背面が上梁に取り付けた定規金物に当接して支持される。下階の上梁と上階の下梁は共通の梁であり、該梁の下側に定規金物が取り付けられ、上側に梁受け金物が取り付けられる。
【００５９】
梁受け金物は、基礎梁の上面に取り付けた基礎受け金物と同様の機能を有するものであるが、この機能を発揮し得るものであれば、形状や構造を限定するものではない。即ち、梁受け金物は、外壁パネルを載置する載置片と、載置片に載置された外壁パネルの背面と当接して位置決めする当接片と、を有しており、直接梁に固定し得るように、或いは固定金物を利用して間接的に梁に固定し得るように構成されている。
【００６０】
本発明に於いて、梁に対する梁受け金物の位置決めは、１階（下階）の外壁を構成する外壁パネルの表面を基準として行われる。前述したように、下階の外壁の表面は、出隅部の柱に取り付けたコーナーパネルの表面を基準として設定されている。このため、外壁を構成する外壁パネルの表面を基準として梁受け金物の位置を設定したとき、同一外壁面を構成する全ての外壁パネルの表面が同一面内に存在するため、何れの外壁パネルの表面を基準としても梁受け金物を同じ位置に設定することが可能である。
【００６１】
従って、予め梁受け金物の載置片に外壁パネルを載置したとき、該外壁パネルの表面と梁受け金物の所定面との間の距離に等しい寸法で、外壁パネルの表面と当接する外壁パネル当接面と梁受け金物の所定面と当接する梁受け金物当接面とを形成した第４治具を構成し、この第４治具を利用することで、既に構成された下階の外壁パネルの表面を基準として上階の外壁パネルを載置して支持する梁受け金物の位置を設定することが可能である。
【００６２】
即ち、梁に梁受け金物を仮固定しておき、下階の外壁パネルの表面に第４治具の外壁パネル当接面を当接させ、この第４治具の梁受け金物当接面に梁受け金物の所定面を当接させることで該梁受け金物の位置決めを行った後、梁受け金物を梁に固定することで、梁受け金物の位置を外壁を基準として設定することが可能である。
【００６３】
その後、前述の手順と同様に、上階の出隅部の柱に対し第２治具を利用してコーナーパネルを取り付け、このコーナーパネルの表面を基準として上階の定規金物の位置決めを行って上梁に取り付け、これらの梁受け金物、定規金物に外壁パネルを取り付けて支持することで、上階の外壁を構成することが可能となる。このように、下階の外壁を基準として上階の外壁の位置決めを行うことで、上下階の外壁を構成する外壁パネルの間に段差や凹凸が生じることがない。
【００６４】
上記の如く、第４治具は二つの当接面を有しており、これらの面を夫々対応する外壁パネルの表面、梁受け金物の所定面に当接させることで該梁受け金物の位置決めを行う機能を有する。このため、第４治具は簡単に曲がりが生じることがないように充分に高い剛性を持って構成されることが好ましい。
【００６５】
第５治具は、第２治具と第４治具を合体させた機能を有するものであり、第２治具を構成する四つの当接面と、第４治具を構成する二つの当接面が共通して、或いは別個に形成されることで、重複した機能を発揮し得るように構成したものである。
【００６６】
以下、上記各治具の構成と、機能について図を用いて説明する。
【実施例１】
【００６７】
先ず、第１治具Ａの構成と、該第１治具Ａを利用して基礎梁５に基準線４を形成する方法と、基礎梁５に取り付けた基礎受け金物７によって外壁パネル１０を支持する構造について説明する。図１は第１治具の構成を説明する図である。図２は基礎梁の上面に形成した基準線を説明する図である。図３は基礎梁の上面に取り付けた基礎受け金物に外壁パネルを支持した状態を説明する図である。
【００６８】
第１治具Ａは適度な剛性を発揮し得る厚さ（約２ｍｍ程度）持った鋼板或いはステンレス鋼板からなる板部材１からなり、該板部材１に、基礎梁５に埋設した複数のアンカーボルト６を挿通するための複数の挿通孔２と、板部材１の四隅に挿通孔２からの距離が予め設定された基礎受け金物７の取付位置の基準線を形成するための複数の罫書溝３が形成されて構成されている。
【００６９】
挿通孔２は、間隔が、柱脚部のアンカーボルト６の間隔、或いは後述する基礎受け金物７を基礎梁５に固定する固定金物８を取り付けるためのアンカーボルト６の間隔に等しい寸法で形成されており、挿通孔２に対応するアンカーボルト６を挿通したとき、罫書溝３の位置が基礎受け金物７を取り付ける際の基準位置となるように設定されている。本実施例では、第１治具Ａをアンカーボルト６に挿通したとき、罫書溝３の位置が固定金物８の基礎受け金物７を取り付ける取付片８ａの基準となる位置に設定されている。
【００７０】
罫書溝３は一方向にのみ形成されていても良いが、直交する二方向に形成されていることが好ましく、本実施例では、板部材１の四隅に夫々直交二方向にＬ字型の罫書溝３として形成されている。罫書溝３は、図１（ｂ）に示すように、板部材１の一方の面側に傾斜面３ａが形成されており、該傾斜面３ａによって罫書きを行う際に筆記具を挿通する作業を容易に行うことが可能である。
【００７１】
第１治具Ａを利用して基礎梁５の上面に基準線４を形成する手順について図２により説明する。先ず第１治具Ａに形成された４個の挿通孔２に出隅部の柱を取り付ける柱脚部のアンカーボルト６を夫々挿通して該第１治具Ａを取り付ける。次いで、第１治具Ａの罫書溝３であって外壁を構成する方向の罫書溝３に筆記具を差し込んで罫書くことで、基礎梁５の上面に罫書溝３に対応した罫書３ｂを形成する。罫書３ｂを形成した後、第１治具Ａをアンカーボルト６から離脱させる。
【００７２】
基礎梁５から第１治具Ａを離脱させた後、同一方向の基礎梁５の上面に形成された罫書３ｂを結んで墨出しすることで、基礎梁５の上面に基準線４を形成することが可能となる。
【００７３】
罫書溝３を利用して基礎梁５の上面に基準線４を形成したとき、この基準線４は固定金物８の取付片８ａの位置を規定することとなり、該基準線４に取付片８ａを合わせて固定金物８をアンカーボルト６に固定することによって、取付片８ａの位置を設定することが可能である。そして、基礎梁５に固定された固定金物８の取付片８ａに基礎受け金物７を取り付けることで、間接的に基礎受け金物７の位置を設定することが可能である。
【００７４】
従って、基準線４が形成された基礎梁５に基礎受け金物７を取り付ける作業は、先ず基礎梁５に埋設されたアンカーボルト６に固定金物８を取り付けることから行われる。
【００７５】
固定金物８の構成は特に限定するものではないが、本実施例では、図３に示すように、基礎受け金物７を取り付ける取付片８ａと、固定金物８をアンカーボルト６に固定する固定片８ｂとを有して構成されている。固定片８ｂのアンカーボルト６を挿通する孔は長穴として形成されており、この長穴にアンカーボルト６を挿通することで、固定金物８の固定位置を調整することが可能である。従って、基礎梁５の上面に形成された基準線４と、固定金物８の取付片８ａに同時に直角定規が当接するように、固定金物８の位置を調節すると共に調節した位置で固定することで、取付片８ａの位置を基準線４に一致させることが可能である。
【００７６】
基礎受け金物７は、外壁パネル１０を載置する載置片７ａと、外壁パネル１０の背面１０ａと当接して位置決めする当接片７ｂと、固定金物８の取付片８ａに取り付けられる取付片７ｃとを有して構成されている、当接片７ｂと取付片７ｃとの間は、図示しないボルトの頭部を回避し得るように形成されており、取付片７ｃと取付片８ａを図示しないボルトによって互いに固定した場合でも、該ボルトの頭部が外壁パネル１０の背面１０ａに干渉しないように構成されている。
【００７７】
基礎受け金物７に外壁パネル１０を支持する場合、外壁パネル１０の下端面を載置片７ａに載置すると共に背面１０ｂを当接片７ｂに当接させ、この状態でクランク状に形成された支持金物９ａを外壁パネル１０を貫通させたボルト９ｂと該ボルト９ｂにナット９ｃを締結させることで、外壁パネル１０の背面１０ａと支持金物９ａとによって基礎受け金物７の当接片７ｂを挟んで支持することが可能である。
【実施例２】
【００７８】
次に、第２治具Ｂの構成と、該第２治具Ｂを利用して柱１２にコーナーパネル１１を取り付ける方法について説明する。図４は第２治具の構成を説明する図である。図５は第２治具を利用して柱にコーナーパネルを取り付ける際の手順を説明する図である。
【００７９】
第２治具Ｂは適度な剛性を発揮し得る厚さ（約２ｍｍ程度）持った鋼板或いはステンレス鋼板からなる板部材１５を利用して構成されており、柱１２の隣接する二つの面１２ａ，１２ｂと当接する二つの柱当接面１６ａ，１６ｂと、コーナーパネル１１の表面１１ａと当接する壁パネル当接面となる表面当接面１７と端面当接面１８とを有して構成されている。
【００８０】
図５に示すように、柱当接面１６ｂと表面当接面１７との間隔は、予め設定された柱１２の面１２ｂからコーナーパネル１１の表面１１ａまでの距離に等しく形成され、且つ柱当接面１６ａと端面当接面１８との間隔は、予め設定された柱の面１２ａからコーナーパネル１１の端面１１ｂまでの距離に等しく形成されている。また柱当接面１６ａ及び表面当接面１７は、夫々対向する柱１２の面１２ａ，コーナーパネル１１の表面１１ａに対し安定した状態で当接し得る寸法を有していれば良く、これらの当接面１６ａ，１７の寸法を限定するものではない。
【００８１】
従って、第２治具Ｂは、予め設定された寸法を持って、二つの柱当接面１６ａ，１６ｂ，端面当接面１８，表面当接面１７からなる四つの当接面が連続して階段状に形成されている。
【００８２】
第２治具Ｂに形成された隣接する各当接面１６ａと１６ｂ、１６ｂと１８、１８と１７は高い直角度が確保されており、コーナーパネルの表面１１ａ，端面１１ｂ及び柱の二つの面１ａ，１２ｂに対し確実に当接し得るように構成されている。尚、図４に於ける１５ａは逃げであり、各逃げ部１５ａを挟む二つの柱当接面１６ａ，１６ｂ、端面当接面１８，表面１７が交叉する部分の直角度を保証するためのものである。また１５ｂは持ち運びに便利なように、紐等を通すための穴である。
【００８３】
上記の如く構成された第２治具Ｂでは、柱１２にコーナーパネル１１を取り付ける際に、柱１２の面１２ａ，１２ｂに柱当接面１６ａ，１６ｂを当接させたとき、端面当接面１８，表面当接面１７に対するコーナーパネルの端面１１ｂ，１１ａの当接具合を視認することで、コーナーパネル１１が柱１２に対し正規の状態で取り付けられているか否かを確認することが可能である。
【００８４】
従って、柱１２の上下方向の所定位置に取付金具１３を固定し、該取付金具１３のボルト１３ａをコーナーパネル１１に貫通させてナット１３ｂを締結することで取り付けると共に、図示しない調整金具（例えば、柱１２とコーナーパネル１２とが対向する二つの隙間に夫々ナットを固定したブラケットとナットに螺合したボルトを設けておき、ボルトを回転させることでコーナーパネルと柱との間隙の大きさを調整し得るように構成した調整金具）を設けておき、第２治具Ｂの二つの柱当接面１６ａ，１６ｂを柱１２の面１２ａ，１２ｂに当接させ、同時に端面当接面１８，表面当接面１７がコーナーパネル１１の端面１１ｂ，表面１１ａに当接するように調整金具を操作し、この調整金具の操作に伴って、各当接面１６ａ〜１８が柱１２及びコーナーパネル１１の夫々対応する面と同時に当接したとき、コーナーパネル１１は柱１２に対し正規の位置に取り付けられたこととなる。
【００８５】
上記の如くして、第２治具Ｂを利用してコーナーパネル１１を柱１２に正確に取り付けることが可能となる。そして、柱１２に取り付けられたコーナーパネル１１は、表面１１ａが目的の建物に設定された外壁の外表面１０ｂと同一面内に存在することとなる。
【実施例３】
【００８６】
次に、第３治具Ｃの構成と、該第３治具Ｃを利用して梁２３に定規金物２４を取り付ける方法について説明する。図６は第３治具の構成を説明する図である。図７は第３治具を利用して梁に対する定規金物の位置を設定する際の手順を説明する図である。図８は定規金物に外壁パネルの上端側を支持した状態を説明する図である。
【００８７】
第３治具Ｃは、図６に示すように、磁石２１と、所定位置に基準溝２１ａが形成され且つ磁石２１に一体的に取り付けた軸部材２２とを有して構成されている。磁石２１と軸部材２２との結合構造は特に限定するものではなく、本実施例では、磁石２１の中心にネジ部を形成したスリーブを嵌合させておき、このネジ部に軸部材２２を締結することで一体的に構成している。
【００８８】
磁石２１は、定規金物２４の外壁パネル１０の背面１０ａに対する当接面を有する当接片２４ａに吸着して第３治具Ｃの取付位置を保持するものであり、この機能を発揮し得るものであれば利用することが可能である。
【００８９】
軸部材２２に形成された基準溝２２ａは、定規金物２４の梁２３に対する位置を設定する際に、外壁の表面（図５に於ける１０ｂ）に沿って張り渡された水糸２０に一致させる基準となるものである。このため、基準溝２２ａは磁石２１の底面２１ａからの距離が、予め設定された外壁の表面と定規金物２４との距離（外壁パネル１０の厚さ）と等しくなる位置に形成されている。
【００９０】
基準溝２２ａは水糸２０に対向させて両者が一致したことを判断し得るものであれば良く、形状を限定するものではない。このような形状としては、基準となる位置を最小径として軸部材をテーパ状に切削して形成した溝や、基準となる位置に傾斜のない段差状（突っ切り溝）に形成した溝がある。特に、段差状の溝によって基準溝２２ａを形成した場合には、視差の影響を抑えることが可能であり好ましい結果を得た。
【００９１】
次に、上記の如く構成された第３治具Ｃを利用して定規金物２４の位置を設定する際の手順について説明する。定規金物２４は外壁パネル１０の背面１０ａと当接して該外壁パネル１０の位置決めすると共に支持するものであり、この機能を発揮し得るものであれば形状や構造を限定するものではない。本実施例に於いて、定規金物２４は、梁２３の下フランジ２３ａに固定される固定片２４ｂと、外壁パネル１０の背面１０ａと当接すると共に取付金物２５によって支持する当接片２４ａと、を有する断面がＬ字状で、予め設定された長さを持った部材として構成されている。特に、固定片２４ｂに形成されたボルト穴は長穴として形成されており、梁２３に対して取付位置の調整が可能なように構成されている。
【００９２】
躯体を構成する梁２３の下フランジ２３ａには定規金物２４が仮固定されており、図７に示すように、一つの外壁面に配置された出隅部のコーナーパネルの表面に沿って、且つ定規金物２４の取付高さに相当する位置に、予め水糸２０が張り渡されている。
【００９３】
定規金物２４の長さ方向の両端部或いは端部近傍に夫々第３治具Ｃを吸着させることで、軸部材２２に形成した基準溝２２ａを水糸２０が張り渡されている方向に突出させる。作業員は水板２０の直上から見下ろし、該水糸２０の真下に基準溝２２ａが位置するように、定規金物２４の出入りを調整する。この作業を定規金物２４の両端側に吸着させた夫々の第３治具Ｃに対して行い、両方の第３治具Ｃの基準溝２２ａと水糸２０ととが一致したとき、定規金物２４をボルト２５によって梁２３の下フランジ２３ａに固定する。
【００９４】
上記作業を外壁に沿って配置された定規金物２４の全てに対して行い、全ての定規金物２４が梁２３に固定されたとき、該定規金物２４の当接片２４ａと、基礎受け金物７の当接片７ｂと、によって外壁パネル１０の取付位置が設定される。このように設定された取付位置は、基礎受け金物７がアンカーボルト６を基準としており、定規金物２４がアンカーボルト６を基準として固定された柱１２に取り付けたコーナーパネル１１の表面を基準としているため、結果としてアンカーボルト６を基準とすることとなり、同一基準の基に高い精度を確保することが可能である。
【００９５】
また下端を基礎受け金物７に支持された外壁パネル１０の上端側を定規金物２４によって支持する場合、図８に示すように、背面１０ａを定規金物２４の当接片２４ａに当接させると共に、取付金物２６に外壁パネル１０を貫通したボルトにナット２６ａを締結させることで、背面１０ａと取付金物２６とによって定規金物２４の当接片２４ａを挟み込んで取り付けている。
【００９６】
上記の如くして基礎受け金物７と定規金物２４に取り付けられた外壁パネル１０は、表面１０ｂは全て同一平面内に配置され、隣接する外壁パネル１０の間に段差や凹凸が生じることがない。また外壁パネル１０の上端面１０ｃは、梁２４の上フランジ２４ｂの上面よりも僅かに低い位置に位置する。
【実施例４】
【００９７】
次に、第４治具の構成を図４により説明し、該第４治具を利用して梁２３に梁受け金物２７を取り付ける方法について説明する。図９は第４治具を利用して梁に対する梁受け金物の位置を設定する際の手順を説明する図である。図１０は梁受け金物に外壁パネルの下端を支持した状態を説明する図である。本実施例に於いて、第４治具は第２治具と共通に構成されており、第５治具として構成されている。
【００９８】
第４治具は、下階の外壁を構成する外壁パネル１０の表面１０ｂを基準として梁２３の上フランジ２３ｂに配置した梁受け金物２７の位置を設定するものである。このため、外壁パネルの表面と当接する外壁パネル当接面と、梁受け金物２７と当接する梁受け金物当接面とを有して構成されている。
【００９９】
即ち、図４に於ける端面当接面１８が外壁パネル当接面としての機能を有しており、梁受け金物当接面１９は、表面当接面１７と連続し且つ端面当接面１７と平行な面に形成されている。従って、表面当接面１７の長さ（端面当接面１７と梁受け金物当接面１９の距離）は、第２治具Ｂを対象とした場合全く限定するものではないが、第４治具を対象とした場合、下階の外壁パネル１０の表面１０ｂから上階の外壁を構成する外壁パネルの背面までの距離（外壁パネルの厚さ）に等しく設定されている。
【０１００】
上記の如く、図４に示す第２治具Ｂは、単に第２治具Ｂのみならず、第４治具をも共通した第５治具として構成されている。
【０１０１】
梁受け金物１７は、外壁パネル１０の背面１０ａと当接して位置決めする当接片２７ａと、外壁パネル１０を載置する載置片２７ｂと、を有して構成されており、当接片２７ａと載置片２７ｂとの間にボルト２８を回避する回避部２７ｃが形成され、該回避部２７ｃにボルト２８を挿通する長穴が形成されている。また梁受け金物２７は予め設定された長さを持った部材として構成されており、梁２３の上フランジ２３ｂ上に配置されてボルト２８の締結によって上フランジ２３ｂに仮固定されている。
【０１０２】
次に、下階の外壁を構成する外壁パネル１０の表面１０ｂを基準として梁受け金物２７の位置を設定する手順について説明する。図９に示すように、下階の外壁パネル１０の表面１０ｂに第２治具Ｂの端面当接面１８を当接させ、この状態で、梁受け金物２７の位置を調整して取付片２７ａが梁受け金物当接面１９に当接させる。梁受け金物２７の長手方向の所定位置で、前記作業を繰り返し、順次ボルト２８によって固定する。上記作業を行うことで、梁受け金物２７を梁２３の上フランジ２３ｂに固定することが可能である。
【０１０３】
上記の如くして梁２３の上フランジ２３ｂに固定された梁受け金物２７の載置片２７ｂに外壁パネル１０の下端部を載置し、該外壁パネル１０を貫通させたボルト２９ａに取付金物２９ｂを挿通すると共にナット２９ｃを締結することで、外壁パネル１０の背面１０ｂと取付金物２９ｂとによって梁受け金物２７の当接片２７ａを挟んで取り付けることが可能である。
【０１０４】
上記の如くして第１治具Ａ、第２治具Ｂ（第４治具を含む）、第３治具Ｃを適宜利用することによって、基礎梁５に埋設されたアンカーボルト６を基準として基礎受け金物７の位置を設定すると共に基礎梁５に固定し、アンカーボルト６を基準として構成された躯体の柱１２を基準としてコーナーパネル１１を取り付け、柱１２に取り付けられたコーナーパネル１１を基準として梁２３の下フランジ２３ａに配置された定規金物２４の位置を設定し、これらの基礎受け金物７、定規金物２４によって外壁パネル１０を支持することが可能である。このようにして取り付けられた外壁パネル１０は、隣接する外壁パネル１０との間に段差や凹凸が生じることがなく、手直しの必要のない良好な施工を実現することが可能である。
【０１０５】
また基礎受け金物７と定規金物２４に支持された外壁パネル１０の表面１０ｂを基準として梁２３の上フランジ２３ｂに配置された上階の外壁パネル１０を支持する梁受け金物２７の位置を設定することで、該梁受け金物２７と更に上部に配置された定規金物とに支持された外壁パネル１０と、下階の外壁パネル１０との間に段差や凹凸が生じることがない。
【実施例５】
【０１０６】
尚、図１１は水糸張り治具Ｄを説明するものであり、コーナーパネル１１の長手方向の端部に着脱可能に構成され、該コーナーパネル１１の表面１１ａと対応する位置に設けたピン３１に水糸を巻き付けて張り渡す機能を有するものである。特に、水糸張り治具Ｄは、例えばベランダの出隅部に配置されたコーナーパネル１１の下端部に装着したとき、ピン３１が表面１１ａと同一平面にある位置に設けられており、該ピン３１と対応するコーナーパネル１１の表面に沿った所定位置に設けた図示しない支持部との間に水糸を張り渡すことで、対応する外壁面の表面の基準とし得るように構成されている。
【０１０７】
水糸張り治具Ｄは、コーナーパネル１１の断面と等しい形状を持った板部材３２ａと、コーナーパネル１１の二つの表面１１ａと当接する二つの当接片３２ｂと、コーナーパネル１１の二つの端面１１ｂと対向し且つ押圧片３２ｄを有する支持片３２ｃと、を有し、二つの当接片３２ｂが交叉する位置に溝３１ａが形成されたピン３１が取り付けられている。
【０１０８】
上記の如く構成された水糸張り治具Ｄでは、コーナーパネル１１の端部に嵌め込んだとき、押圧片３２ｄが対向する端面１１ｂを押圧することで、当接片３２ｂがコーナーパネル１１の表面１１ａに当接して保持される。この状態でピン３１はコーナーパネルの下端部から下方に垂下されることとなり、溝３１ａに水糸を引っ掛けて張り渡すことで、外壁の表面を規定することが可能となる。
【産業上の利用可能性】
【０１０９】
本発明に係る施工方法は、アンカーボルトの位置を基準として、外壁の下端部の位置と上端部の位置を設定することができるので、基礎受け金物と定規金物に支持された外壁パネルの垂直度や連接する外壁パネルの間に段差た凹凸が生じることがなく有用である。
【０１１０】
また本発明に係る治具は、本発明の施工方法を実施する際に利用して極めて有効である。
【図面の簡単な説明】
【０１１１】
【図１】第１治具の構成を説明する図である。
【図２】基礎梁の上面に形成した基準線を説明する図である。
【図３】基礎梁の上面に取り付けた基礎受け金物に外壁パネルを支持した状態を説明する図である。
【図４】第２治具の構成を説明する図である。
【図５】第２治具を利用して柱にコーナーパネルを取り付ける際の手順を説明する図である。
【図６】第３治具の構成を説明する図である。
【図７】第３治具を利用して梁に対する定規金物の位置を設定する際の手順を説明する図である。
【図８】定規金物に外壁パネルの上端側を支持した状態を説明する図である。
【図９】第４治具を利用して梁に対する梁受け金物の位置を設定する際の手順を説明する図である。
【図１０】梁受け金物に外壁パネルの下端を支持した状態を説明する図である。
【図１１】水糸張り治具の構成を説明する図である。
【符号の説明】
【０１１２】
Ａ                    第１治具
Ｂ                    第２治具（第４治具、第５治具）
Ｃ                    第３治具
Ｄ                    水糸張り治具
１                    板部材
２                    挿通孔
３                    罫書溝
３ａ                  傾斜面
３ｂ                  罫書
４                    基準線
５                    基礎梁
６                    アンカーボルト
７                    基礎受け金物
７ａ                  載置片
７ｂ                  当接片
７ｃ                  取付片
８                    固定金物
８ａ                  取付片
８ｂ                  固定片
９ａ                  支持金物
９ｂ                  ボルト
９ｃ                  ナット
１０                  外壁パネル
１０ａ                背面
１１                  コーナーパネル
１１ａ                表面
１１ｂ                端面
１２                  柱
１２ａ，１２ｂ        面
１３                  取付金具
１３ａ                ボルト
１３ｂ                ナット
１５                  板部材
１５ａ                逃げ部
１５ｂ                穴
１６ａ，１６ｂ        柱当接面
１７                  表面当接面
１８                  端面当接面
１９                  梁受け金物当接面
２０                  水糸
２１                  磁石
２１ａ                底面
２２                  軸部材
２２ａ                基準溝
２３                  梁
２３ａ                下フランジ
２３ｂ                上フランジ
２４                  定規金物
２４ａ                当接片
２４ｂ                固定片
２５                  取付金物
２６                  取付金物
２６ａ                ナット
２７                  梁受け金物
２７ａ                当接片
２７ｂ                載置片
２７ｃ                回避部
２８                  ボルト
２９ａ                ボルト
２９ｂ                取付金物
２９ｃ                ナット
３１                  ピン
３１ａ                溝
３２ａ                板部材
３２ｂ                当接片
３２ｃ                支持片
３２ｄ                押圧片
【図１】
2006307525.tif 000003
【図２】
2006307525.tif 000004
【図３】
2006307525.tif 000005
【図４】
2006307525.tif 000006
【図５】
2006307525.tif 000007
【図６】
2006307525.tif 000008
【図７】
2006307525.tif 000009
【図８】
2006307525.tif 000010
【図９】
2006307525.tif 000011
【図１０】
2006307525.tif 000012
【図１１】
2006307525.tif 000013